(57)【要約】【課題】  工具ホルダーをベルトに簡単に且つ迅速に装着あるいは脱着でき、更にベルトからホルダーが外れることを防止し、収納と取り出しが迅速に行える工具ホルダーを提供すること。【解決手段】  腰ベルトに着脱自在に装着する垂直吊り下げ部に工具を保持するホルダー本体を設け、この垂直吊り下げ部は対向部の上端部を左側下方に折り曲げ、更に折り曲げられた下端部Ｄを右側上方に折り曲げて係止部を形成したもの。【選択図】      図１
2006007388.tif 000002
【特許請求の範囲】
【請求項１】
作業者の腰ベルトに装着されて使用される工具ホルダーにおいて、
前記ベルトに着脱自在に装着する垂直吊り下げ部に工具を保持するホルダー本体を設け、この垂直吊り下げ部は対向部の上端部を左側下方に折り曲げ、更に折り曲げられた下端部Ｄを右側上方に折り曲げて係止部を形成したものである工具ホルダー。
【請求項２】
前記請求項１記載の工具ホルダーにおいて、
上端折り曲げ部と下端折り曲げ部間の寸法はベルトの幅Ｔよりも僅かに大としたものである工具ホルダー。
【請求項３】
前記請求項１あるいは２記載の工具ホルダーにおいて、
係止部の上方先端を垂直吊り下げ部の対向部Ａ、Ｂを結ぶ仮想面よりも僅かに突出させるように構成したものである工具ホルダー。
【請求項４】
前記特許請求の範囲第１項ないし第３項に記載された工具ホルダーにおいて、
ホルダー本体と、このホルダー本体に設けられた工具握り部の保持部と、この工具ホルダー本体に開閉自在に設けられた保持カバーと、この保持カバーに設けられた前記工具握り部のストッパーとを有している工具ホルダー。
【請求項５】
前記請求項４記載の工具ホルダーにおいて、
ホルダー本体に設けられた工具握り部の保持部は、握り部寸法と略同一間隔で設けられた少なくとも上端保持部と下端保持部とを有している工具ホルダー。
【請求項６】
前記請求項４記載の工具ホルダーにおいて、
ホルダー本体はステンレス板から構成され、垂直部と水平部を持ち、水平部に上端保持部と下端保持部とを具備し、水平部にストッパーを有する保持カバーをバネ付き蝶番によって開閉自在に設けたものである工具ホルダー。
【請求項７】
前記請求項４記載の工具ホルダーにおいて、
ホルダー本体及び保持カバーをプラスチックで形成した工具ホルダー。
【発明の詳細な説明】
【技術分野】
【０００１】
本発明は工具ホルダーに関し、腰ベルトに取り付けて着脱自在に使用するのに好適な工具ホルダーに関するものである。
【背景技術】
【０００２】
従来、腰ベルトに装着されて電動ドライバー等の工具を保持するホルダーは、袋状のものと、特許文献１記載のような金具状のもの等が存在しているが、いずれも安全で使い勝っての良いものではなかった。
【０００３】
又、ホルダーに電動工具を迅速に収納し、又は取り出すことができる発明を当発明者は特許文献２で提案している。
【０００４】
【特許文献１】実開平６−３１９７８号
【特許文献２】特願２００２−３８３５６９号
【発明の開示】
【発明が解決しようとする課題】
【０００５】
前者の袋状ホルダーは作業者の体から離れブラブラしており、作業者が足場を移動する毎にホルダーが足場の横パイプや縦パイプに引っかかり、ホルダーが逆さになって工具が落下する等の事故を生じていた。
【０００６】
工具が落下すると、工具が破損し使用できなくなることは元より、人間を死傷させるという重大な事故が発生する。これを防止するためには袋状ホルダーの上口に蓋を設けるか、あるいは上口を紐で縛る等の手段を講じなければならない。
【０００７】
しかし、蓋を設けたり紐で縛るようにすれば、工具を取り出して使用する毎に蓋を外したり、紐を解いたりしなければならず、作業性の悪いものとなってしまう。建築現場等では頻繁に工具を収納したり、取り出したりしなければならないので、作業性の低下は作業時間の大幅な増大と工事価格アップになる。
【０００８】
一方、後者の金具状のホルダーとして上記特許文献１記載のものがある。
【０００９】
この公報には、電動工具２の後方端部を、自在バンドによってホルダー１０に取付け、ホルダー１０を腰ベルト１に着脱自在に装着するようにされた電動工具用ホルダーの考案が記載されている。
【００１０】
しかしながら、この考案は、電動工具の後端を自在ベルトとホルダーで保持するものであるため、安定的に保持できないものである。
【００１１】
すなわち、最近の電動工具は駆動源として重い電池を使うものが多く、この電池が握り部の下端に設けられた全体Ｔ字型となっているため（図４参照）、この公報記載のように自在バンド２０一箇所で保持することは不安定極まりないのである。
【００１２】
また、腰ベルトも布や皮で製造されており、可撓性を有していることを勘案しても工具がふらつくことは容易に理解できよう。
【００１３】
工具を安定に保持できないと前述のように落下事故は免れないものである。
【００１４】
又、本特許文献１に記載されたホルダー１０は金属板を折り曲げて構成し、対向する金属板の隙間でベルト１を挟むようになされているので、ホルダー１０をベルト１に簡単に脱着自在に装着できる良さがある反面、電動工具を装着した状態で座ったり、あるいは移動中に電動工具やホルダーに不用意に上方向への外力が加わると、ホルダー１０は簡単にベルト１から外れてしまい危険であるという課題を有している。
【００１５】
一方、当発明者が出願している特許文献２の発明では、ホルダーにベルトを通しているのでベルトを外さない限り工具を身体から離すことができない。従って、休憩や食事等で着座する時にベルトそのものを着脱しなければならないという面倒さを有している。
【００１６】
本発明は、これらの課題に着目し、作業中は工具を保持したホルダーが絶対に離脱せず、一方、着座に先立っては簡単にホルダーをベルトから簡単に取り外すことができる工具ホルダーを提供することを目的としてなされたものである。
【００１７】
又、あわせてホルダーに電動工具を簡単に収納したり取り出したりできるホルダーとして作業性を向上することも一方の目的である。
【課題を解決するための手段】
【００１８】
前記目的は、作業者の腰ベルトに装着されて使用される工具ホルダーにおいて、ホルダー本体と、このホルダー本体に設けられた工具握り部の保持部と、この工具ホルダー本体に開閉自在に設けられた保持カバーと、この保持カバーに設けられた前記工具握り部のストッパーとを設けることによって達成される。
【発明の効果】
【００１９】
本発明は、作業中は工具を保持したホルダーが絶対に離脱せず、一方、着座に際してはベルトからホルダーを簡単に取り外すことができる工具ホルダーを提供することを目的としてなれたものである。
【００２０】
従って本発明ではベルトを身体に着けたまま工具ホルダーを外すことができるので、作業開始に際して改めてベルトを身体に装着する必要がなく、結果的に作業性が向上する効果が期待できるものである。
【００２１】
又、ホルダーに電動工具を迅速且つ簡単に収納あるいは取り出しできるように構成すれば、更に作業性が向上する工具ホルダーを提供することができるものである。
【実施例１】
【００２２】
以下本発明の一実施の形態を図１ないし図７に基づき説明する。
【００２３】
図１は本発明工具ホルダーをベルトに装着した正面斜視図、図２は同じく工具ホルダーの自然状態の側面斜視図、図３は工具を取り出すときに工具ホルダーを開いた状態図をそれぞれ示している。
【００２４】
図において、１は作業者の腰に装着するベルトで、可撓性を有し且つ比較的硬い皮や布で製作されている。Ｔはベルト１の幅を示している。Ｈはホルダーで、ベルト１に装着されるＬ字状のホルダー本体２と、このホルダー本体２に開閉自在に設けられる保持カバー３から大構成される。
【００２５】
更に詳しく説明すると、ホルダー本体２は、垂直吊り下げ部と、所定の幅寸法、具体的には掌の幅と略同等の幅を持つ薄いステンレス板で構成されている。２１は作業者の腰に密着し、針金で構成された垂直吊り下げ部で、この垂直吊り下げ部２１の下端部を横方向に折り曲げて、この水平折り曲げ部にステンレス板から構成した水平部２２を設けるように構成している。
【００２６】
水平部２２には、電動工具Ｔの握り部の上部を受ける上部保持部２４と、同じく握り部の下部を受ける下部保持部２５とを設けている。これらの保持部２４、２５は前記水平部２２から図示のようにそれぞれ上方に折り曲げ、電動工具の握り部を安定的保持できるようにそれぞれ上方に開く形状に形成されている。
【００２７】
また、上部保持部２４の縦寸法は、電動工具の握り部を保持したとき、握り部に設けられているスイッチＳＷが不用意に作動しないように考慮されている。
【００２８】
また、保持部２４、２５の間隔はできるだけ握り部の長さに合わせるのがよく、これによって工具の動きが規制され、安定的に工具を保持することが可能になる。
【００２９】
前記実施形態でホルダー本体２はステンレス板で構成したが、プラスチックで構成することができる。プラスチックで構成すれば一体成形することができ、量産性に好適なものと考えられる。
【００３０】
前記保持カバー３はホルダー本体２の水平部２２の端辺にバネ付き蝶番３１によって開閉自在に設けられている。保持カバー３はステンレス板を図示のように折り曲げ形成し、上部に一対のストッパー部３２と上端に掌の甲当て部３３を形成している。ストッパー部３２は少なくとも水平あるいは保持カバー３の垂直部に対して直角未満にするか、あるいは工具の握り部の形状にあわせて上方に凸形状にするのが安定的に保持する上で望ましい。この方が工具の逸脱、落下防止に機能する。
【００３１】
蝶番３１のバネは、甲当て部３３をホルダー本体２の垂直吊り下げ部２１側に軽く押しつけるように作用させて、垂直吊り下げ部２１と甲当て部３３間の間隔を掌の厚さと同等か、これよりやや大きな間隔に保持させるようにしてあり、掌をこの間隔に上方から入れ易くするように考慮されている。この保持カバー３もプラスチックで形成することが可能であり、このようにすれば前述同様多量生産に好適である。
【００３２】
本発明の工具ホルダーは前述のように構成されているので、上方から工具を工具ホルダーに収納すると、その過程で工具を握っている手の甲が、保持カバー３の甲当て部３３を図３のように外側に押し広げるので工具はスムースに保持部２４、２５に保持される。
【００３３】
手を上方に抜けば保持カバー３が蝶番３１のバネ力によって図２の状態に戻るため、ストッパー３２は工具の握り部の上方に位置し、工具が工具ホルダーＨから抜け落ちることがない。このとき電動工具は保持部２４、２５で２点支持されるので安定的に水平保持される。
【００３４】
これは電動工具の図１の左右の移動は保持部２４、２５で規制され、上下の移動は同じく保持部２４、２５と保持カバー３のストッパー３２で規制され、安定的に保持される。ストッパー３２は工具の握り部に可及的近接させることが安定的に保持する上で好ましい。
【００３５】
次に取り出す場合も同様に、手の甲で保持カバー３の甲当て部３３を図３のように外側に押し広げることができるので、スムースに工具を取り出すことができる。
【００３６】
前記構成及び動作については当発明者が特許文献２で提案している発明をご参照戴きたい。
【００３７】
次に、垂直吊り下げ部２１の構成と装脱着について説明する。
【００３８】
垂直吊り下げ部２１は図４に示した上方を幅狭に予め成形した弾性を有する針金を次のように屈曲して構成する。即ち、折り曲げ前は、二本の対向部Ａ、Ｂと、これに連続する上方の幅狭部Ｃと、上端部の係止部ＤＫを有している。
【００３９】
この針金のＡ部はＡ１部にて直角に折り曲げ、前述の水平折り曲げ部とする。
【００４０】
対向部の上端部のＣ部はＣ１部にて図３のように左側下方に折り曲げ、更に折り曲げられた下端部ＤをＤ１部にて右側上方に折り曲げて係止部ＤＫを形成する。
【００４１】
ここで重要なことはＣの上端折り曲げ部Ｃ１と下端折り曲げ部Ｄ１間の寸法はベルトの幅Ｔよりも僅かに大寸法としてあることであり、更に係止部ＤＫの上方先端が対向部Ａ、Ｂを結ぶ仮想面よりも僅かに図示上右側に突出させるようにしたことである。又、係止部ＤＫの上方先端は上端折り曲げ部Ｃ１から丁度ベルトの幅Ｔ寸法付近とされている。
【００４２】
この垂直吊り下げ部２１は弾性を有する針金で構成したが、ばね鋼板を図４に示す形状に打ち抜いて構成することも可能であり、本発明の技術的範囲に入るものである。
【００４３】
又、弾性を有し強度も充分であれば合成樹脂で形成することも排除しないものである。
【００４４】
次に、このように構成された垂直吊り下げ部２１をベルトに装着したり、外したりする方法について説明する。
【００４５】
先ず、ベルト１にホルダーを装着する場合は、図６の点線で示すように、Ｃ部あるいは係止部ＤＫを図示上Ｘのように右から押し込み下方に空間を形成する。この空間からベルトを下から挿入し、押し込みＸを止めるとホルダーはベルト１に装着される。装着された状態が図６の実線で示されている。
【００４６】
この状態でベルトが１が上下に移動してもベルト１は対向部の仮想面から図示上右に移動することはない。
【００４７】
従ってベルトが下に移動してもベルトは係止部ＤＫに係止され、ベルトから垂直吊り下げ部が離脱することがなく安全である。
【００４８】
次に、ベルトから垂直吊り下げ部２１を外す場合は図７のようにＣ部間左側から指を挿入し、ベルト１の下縁を係止部ＤＫよりも更に右側に押す。この状態でベルト１を下に移動すると、図８のようにベルトが係止部ＤＫの右側を滑動してベルトから垂直吊り下げ部２１を取り外すことができる。
【００４９】
このようにして、本発明の構成によれば作業者はベルトをしたまま工具ホルダーを装着したり取り外したりできるようになり、作業性を一段と向上することができるものである。
【実施例２】
【００５０】
実施例２はドライバーやこれに類する工具を保持する工具ホルダーである。
【００５１】
図９ないし図１２において、４１は皮で構成されたベース部、４２は同じく皮で構成され前記ベース部に縫製４３された保持部で、ベース部４１と保持部４２間で工具収納空間部４４を形成している。
【００５２】
本実施例においてもこのようにして、作業者はベルトをしたまま工具ホルダーを装着したり取り外したりできることから、作業性を大幅に向上することができる。
【００５３】
このようにして本発明は、工具ホルダーをベルトに装着あるいは脱着を簡単に且つ迅速に行うことができ、更にベルトからホルダーが外れることが無いので安全に作業できるものである。更に、工具の収納と取り出しを極めて迅速に行うことができ、作業時間の大幅な短縮を図ることができ、産業の発達に寄与することは明白である。
【００５４】
なお、前述のホルダー本体や保持カバーはプラスチックでも構成することができ、本発明の技術的範囲は一実施形態に限定されるものではなく、特許請求の範囲内において種々の応用例、変形例が考えられ、これらを包含することは当然である。
【００５５】
更に、前述の工具ホルダーには、ドライバーや電動工具を収納し、腰ベルトに取り付けて使用される布製あるいは皮製の袋体をも含むものである。
【図面の簡単な説明】
【００５６】
【図１】本発明の一実施例形態を示す正面斜面図。
【図２】同上の保持カバーが閉じている状態の側斜面図。
【図３】同上の保持カバーが開かれたときの側斜面図。
【図４】垂直吊り下げ部の折り曲げ前の図。
【図５】ベルトに垂直吊り下げ部を装着し要部上面図。
【図６】同じく断面図。
【図７】ベルトから垂直吊り下げ部を脱着する場合の説明図。
【図８】同じくベルトから垂直吊り下げ部を脱着する場合の説明図。
【図９】本発明の第２の実施例の正面図。
【図１０】同側面図。
【図１１】同上面図。
【図１２】同水平断面図。
【符号の説明】
【００５７】
１…腰ベルト      ２…工具ホルダー本体      ３…保持カバー
２１…垂直吊り下げ部      ２２…水平部
２４…上部保持部      ２５…下部保持部      ３１…バネ付き蝶番
３２…ストッパー      ３３…甲当て部
【図１】
2006007388.tif 000003
【図２】
2006007388.tif 000004
【図３】
2006007388.tif 000005
【図４】
2006007388.tif 000006
【図５】
2006007388.tif 000007
【図６】
2006007388.tif 000008
【図７】
2006007388.tif 000009
【図８】
2006007388.tif 000010
【図９】
2006007388.tif 000011
【図１０】
2006007388.tif 000012
【図１１】
2006007388.tif 000013
【図１２】
2006007388.tif 000014